(57)【要約】      （修正有）【課題】フィルタの切換個所を低減し、カラー撮影と自発蛍光撮影を無散瞳で行うことにより患者負担を軽減する。【解決手段】撮影光学系に自発蛍光波長と近赤外波長を透過する特性を持つ自発蛍光用バリアフィルタ３６と、可視光を透過し近赤外光を阻止する近赤外光カットフィルタ３９と入れ換え可能に設ける。眼底Ｅｒを観察する場合には蛍光用バリアフィルタ３６を観察撮影光学系の光路内に挿入することにより、近赤外照明光による近赤外観察が可能になる。自発蛍光撮影をする場合には、フィルタを切換えることなく撮影を行うことができる。カラー撮影の場合には、観察時は蛍光用バリアフィルタ３６で観察し、撮影時には赤外光カットフィルタ３９と入れ換えて撮影する。【選択図】図１
2010220670.tif 000002
【特許請求の範囲】
【請求項１】
被検眼の眼底に不可視光により観察するために不可視光のみを照射する手段と眼底を可視光により撮影するために可視波長域と不可視光を照射する手段とから成る照明手段、該照明手段と被検眼の間の光路中に挿脱を可能とした蛍光用波長域のみを透過する蛍光用エキサイタフィルタと、該蛍光用エキサイタフィルタの挿脱を駆動する第１の駆動手段と、照明された眼底からの反射光を受光し眼底像を結像する観察撮影光学系と、近赤外波長域及び可視波長域に感度を有し動画撮影と静止画撮影が可能である撮像手段と、前記観察撮影光学系の光路中に蛍光用波長域及び近赤外波長域を透過する特性を有する蛍光用バリアフィルタと赤外光カットフィルタとを入れ換え駆動する第２の駆動手段と、静止画撮影を実施するための撮影スイッチと、複数の撮影モードを切換える撮影モード選択手段と、該撮影モード選択手段の出力と前記撮影スイッチの出力とに基づいてシステムを制御する制御手段とを有する眼底カメラであって、前記制御手段は、観察時に前記第１の駆動手段により前記蛍光用エキサイタフィルタを光路中から退避し、前記第２の駆動手段により前記蛍光用バリアフィルタを光路中に挿入し、カラー撮影には、前記第１の駆動手段により前記蛍光用エキサイタフィルタを光路中から退避すると共に第２の駆動手段により前記赤外光カットフィルタを光路中に挿入し、蛍光撮影には前記第１の駆動手段により前記蛍光用エキサイタフィルタを光路中に挿入すると共に第２の駆動手段により前記蛍光用バリアフィルタを光路中に挿入する制御を行うことを特徴とする眼底カメラ。
【請求項２】
前記照明手段が発光する不可視光は６８０ｎｍよりも長い波長域を含むと共に、前記蛍光撮影は自発蛍光によるものであり、前記蛍光用エキサイタフィルタは５８０ｎｍ近傍を透過すると共に、前記蛍光用バリアフィルタは前記蛍光用エキサイタフィルタと透過波長の重ならない６００ｎｍから少なくとも７８０ｎｍまでの波長域を透過することを特徴とする請求項１に記載の眼底カメラ。
【発明の詳細な説明】
【技術分野】
【０００１】
本発明は、近赤外光で観察し、カラー撮影及び例えば自発蛍光（ＦＡＦ）撮影の蛍光撮影を行う眼底カメラに関するものである。
【背景技術】
【０００２】
眼底を観察・撮影する眼底カメラには、散瞳剤を点眼する散瞳型眼底カメラと、散瞳剤を点眼しない無散瞳型眼底カメラがある。
【０００３】
一般に、散瞳型眼底カメラは主に眼科医によって使用され、カラー撮影のみならず、蛍光撮影、特殊フィルタ撮影等の様々な手技により複数枚の撮影を行うのに適している。一方、無散瞳型眼底カメラは集団健診や内科医によって使用され、主に１枚の撮影で使用するのに適している。しかし、眼科医においても散瞳剤を点眼せずに済み、被検者への負担を軽減できることから、無散瞳撮影への要求が高まってきている。
【０００４】
特許文献１においては、近赤外観察をしながらカラー撮影、可視蛍光（ＦＡ）撮影を行うことのできる無散瞳型の眼底カメラが開示されている。この眼底カメラにおいては、眼底照明系に可視光カットフィルタを挿脱可能に配置し、撮影系には可視観察手段として光学ファインダ、近赤外観察手段と静止画撮影用の２つの撮像手段が設けられている。
【０００５】
上述の特許文献１の眼底カメラを用いてＦＡ撮影を行う場合には、蛍光が出現するまでは可視光カットフィルタを光路外に配置し、ファインダを介して観察する。そして、蛍光が出現すると、光路に可視光カットフィルタを挿入し、被検眼に近赤外光を照射し、眼底像を動画で観察可能な観察用撮像手段を介して観察する。
【０００６】
また、撮影に際しては、跳ね上げミラーにより光路を切換えて撮影を行う。なお、可視蛍光撮影の際に用いるエキサイタフィルタ、バリアフィルタはそれぞれ近赤外光を透過する特性を有していることが重要である。
【０００７】
また、近年、加齢性黄斑変性（ＡＭＤ）の新しい診断方法として、自発蛍光撮影が注目されている。初期の自発蛍光はレーザースキャン型検眼装置に搭載されたが、現在では眼底カメラにおいても応用され始めている。
【０００８】
眼底カメラを用いて自発蛍光撮影を行う場合には、眼底照明系にエキサイタフィルタを挿入し、検者は可視光で被検眼眼底の観察及びアライメントを行う。また、蛍光撮影の際には、撮影に同期して撮影系にバリアフィルタを挿入して撮影を行う。
【先行技術文献】
【特許文献】
【０００９】
【特許文献１】特許２０００−３００５２１号公報
【発明の概要】
【発明が解決しようとする課題】
【００１０】
従来、自発蛍光撮影の可能な散瞳型眼底カメラはカラー撮影と自発蛍光撮影をするために、図４に示す従来例１のようにフィルタの切換えが必要である。
【００１１】
なお、図４に示すように照明光学系Ｌ１と観察撮影光学系Ｌ２が配置されている。照明光学系Ｌ１には、観察光源として例えばハロゲン光源１、撮影光源としてキセノン管２が用いられており、ハロゲン光源１、キセノン管２の何れも可視光と近赤外光の波長を含む光を発光する。
【００１２】
自発蛍光撮影を行う際には、照明光学系Ｌ１の光路内には、照明系１として励起光のみを透過するエキサイタフィルタ３と、カラー撮影時に挿入される光路長を補正するための平面板４とが挿脱可能に配置されている。
【００１３】
また、観察撮影光学系Ｌ２には、撮影系１として蛍光撮影時に挿入され自発蛍光の蛍光波長域のみを透過するバリアフィルタ５と、カラー撮影時に挿入される近赤外カットフィルタ６とが挿脱可能に配置されている。近赤外カットフィルタ６が必要なのは、カラー撮影した画像に赤成分が強くなり過ぎ、良好な画質が得られなくなることを防止するためである。
【００１４】
上述の眼底カメラにおいて、自発蛍光撮影モードの観察時には、照明系１にエキサイタフィルタ３を挿入し、撮影系１に近赤外カットフィルタ６を挿入し、ファインダを介してアライメント及び観察を行う必要がある。そして、撮影時には撮影系１の近赤外カットフィルタ６とバリアフィルタ５とを入れ換えて撮影が行われる。
【００１５】
また、カラー撮影モードにおける観察時、撮影時は共に、照明系１に平面板４が挿入され、撮影系１には近赤外カットフィルタ６を挿入して行う。
【００１６】
なお、上述の眼底カメラにおいては、可視光で観察を行うため、被検者に散瞳剤を点眼して散瞳させる必要がある。
【００１７】
図５に示す従来例２の眼底カメラにおいては、照明光学系Ｌ１に、観察光源として近赤外光を発光する近赤外光源１１、撮影光源として可視光と近赤外光の波長を含む光を発光するキセノン管１２を用いている。
【００１８】
この照明光学系Ｌ１には、照明系１として近赤外光カットフィルタ１３と近赤外波長も透過するエキサイタフィルタ１４とが入れ換え可能に設けられており、更に照明系２として近赤外光カットフィルタ１５と平面板１６が挿脱可能に設けられている。観察撮影光学系Ｌ２には、撮影系１として撮像手段１７の前方にバリアフィルタ１８と平面板１９とが入れ換え可能に設けられ、カラー撮影モードと蛍光撮影モードの撮影を行うことができる。
【００１９】
図５に示すように、撮像手段を１つにした場合には、撮像手段１７は近赤外観察をする必要があり、図５に示す従来例２の静止画撮影時には、赤外光カットフィルタを照明光学系Ｌ１か観察撮影光学系Ｌ２の何れかに挿入する必要がある。
【００２０】
従って、カラー撮影モードの観察時においては、照明系１にエキサイタフィルタ１４を挿入し、照明系２に平面板１６を挿入し、撮影系１に平面板１９を挿入して観察する。また、カラー撮影モードの撮影時においては、照明系１に近赤外光カットフィルタ１３を挿入し、照明系２に平面板１６を挿入し、撮影系１に平面板１９を挿入して撮影する。
【００２１】
蛍光撮影モードの観察時においては、照明系１にエキサイタフィルタ１４を挿入し、照明系２に平面板１６を挿入し、撮影系１にバリアフィルタ１８を挿入して観察する。また、蛍光撮影モードの撮影時においては、照明系１にエキサイタフィルタ１４を挿入し、照明系２に近赤外光カットフィルタ１５を挿入し、撮影系１にバリアフィルタ１８を挿入して撮影する。
【００２２】
上述のように、カラー撮影モードと蛍光撮影モードの撮影を行うためには、３個所のフィルタの切換機構が必要になる。この３個所の切換機構を必要とする理由としては、エキサイタフィルタ１４が赤外波長も透過するため、赤外波長光の透過を阻止する近赤外光カットフィルタ１３、１５が必要になるためである。
【００２３】
図６に示す従来例３の眼底カメラにおいては、カラー撮影と自発蛍光撮影を可能にするために２つの撮像手段を備えており、照明光学系Ｌ１と観察撮影光学系Ｌ２、Ｌ３が配置されている。照明光学系Ｌ１には、観察光源として例えばハロゲン光源２１、撮影光源としてキセノン管２２が用いられており、ハロゲン光源２１、キセノン管２２の何れも可視光と近赤外光の波長を含む光を発光する。
【００２４】
自発蛍光撮影を行う際には、照明光学系Ｌ１の光路内には、照明系１として励起光のみを透過するエキサイタフィルタ２３と、カラー撮影時に挿入される光路長を補正するための平面板２４とが挿脱可能に配置されている。
【００２５】
また、観察撮影光学系Ｌ２には、撮影系１として蛍光撮影時に挿入され自発蛍光の蛍光波長域のみを透過するバリアフィルタ２５と、カラー撮影時に挿入され光路長を補正するための平面板２６とが挿脱可能に配置されている。更に、観察撮影光学系Ｌ２のカラー撮影用撮像手段２７の前方には、撮影系２として、撮影した画像に赤成分が強くなり過ぎ、良好な画質が得られなくなることを防止するための近赤外光カットフィルタ２８が配置されている。切換ミラー２９によって分岐された観察撮影光学系Ｌ３には、自発蛍光撮影用撮像手段３０が配置されている。
【００２６】
上述の眼底カメラにおいて、自発蛍光撮影モードの観察時には、照明系１にエキサイタフィルタ２３を挿入し、撮影系１に平面板２６を挿入し、図示しないファインダを介してアライメント及び観察を行う。そして、撮影時には撮影系１の平面板２６とバリアフィルタ２５とを入れ換え、切換ミラー２９が光路内に挿入され、撮像手段３０によって撮影が行われる。また、カラー撮影モードにおける観察時、撮影時には、共に照明系１に平面板２４が挿入され、切換ミラー２９が光路から退避して撮像手段２７によって撮影が行われる。
【００２７】
なお、上述の眼底カメラにおいては、可視光で観察を行うため、被検者に散瞳剤を点眼して散瞳させる必要がある。
【００２８】
表２は上述の従来例をまとめたものであり、表中の「−」は該当する位置にフィルタが存在しないことを示している。
【００２９】
表２
従来例１
撮影モード                  カラー／自発蛍光
観察波長                        可視光
カラー            蛍光
照明系１  観察時          平面板        エキサイタ
照明系１  撮影時          平面板        エキサイタ
照明系２  観察時            −              −
照明系２  撮影時            −              −
撮影系１  観察時      近赤外光カット    近赤外光カット
撮影系１  撮影時      近赤外光カット        バリア
撮影系２  観察時            −              −
撮影系２  撮影時            −              −
従来例２
撮影モード                  カラー／可視蛍光
観察波長                        近赤外光
カラー            蛍光
照明系１  観察時      エキサイタ        エキサイタ
照明系１  撮影時      近赤外光カット    エキサイタ
照明系２  観察時        平面板            平面板
照明系２  撮影時        平面板          近赤外光カット
撮影系１  観察時        平面板            バリア
撮影系１  撮影時        平面板            バリア
撮影系２  観察時          −                −
撮影系２  撮影時          −                −
従来例３
撮影モード                  カラー／自発蛍光
観察波長                        可視光
カラー          蛍光
照明系１  観察時        平面板          エキサイタ
照明系１  撮影時        平面板          エキサイタ
照明系２  観察時          −                −
照明系２  撮影時          −                −
撮影系１  観察時        平面板            平面板
撮影系１  撮影時        平面板            バリア
撮影系２  観察時      近赤外光カット    近赤外光カット
撮影系２  撮影時      近赤外光カット    近赤外光カット
【００３０】
このように、自発蛍光撮影ができる従来例１、３においては、散瞳型眼底カメラがベースになっているため、可視光による観察となり被検者は散瞳する必要がある。また、従来例２のように近赤外観察をして、蛍光撮影とカラー撮影を行う装置においてはフィルタ切換え機構が３個所に必要となる。
【００３１】
本発明の目的は、上述の問題点を解消し、フィルタの切換個所を低減し、カラー撮影と自発蛍光撮影を無散瞳で行うことにより、患者の負担を軽減することができる眼底カメラを提供することにある。特に、自発蛍光撮影による加齢性黄斑変性症等の疾病のスクリーニングを可能とした眼底カメラを提供することにある。
【課題を解決するための手段】
【００３２】
上記目的を達成するための本発明に係る眼底カメラは、被検眼の眼底に不可視光により観察するために不可視光のみを照射する手段と眼底を可視光により撮影するために可視波長域と不可視光を照射する手段とから成る照明手段、該照明手段と被検眼の間の光路中に挿脱を可能とした蛍光用波長域のみを透過する蛍光用エキサイタフィルタと、該蛍光用エキサイタフィルタの挿脱を駆動する第１の駆動手段と、照明された眼底からの反射光を受光し眼底像を結像する観察撮影光学系と、近赤外波長域及び可視波長域に感度を有し動画撮影と静止画撮影が可能である撮像手段と、前記観察撮影光学系の光路中に蛍光用波長域及び近赤外波長域を透過する特性を有する蛍光用バリアフィルタと赤外光カットフィルタとを入れ換え駆動する第２の駆動手段と、静止画撮影を実施するための撮影スイッチと、複数の撮影モードを切換える撮影モード選択手段と、該撮影モード選択手段の出力と前記撮影スイッチの出力とに基づいてシステムを制御する制御手段とを有する眼底カメラであって、前記制御手段は、観察時に前記第１の駆動手段により前記蛍光用エキサイタフィルタを光路中から退避し、前記第２の駆動手段により前記蛍光用バリアフィルタを光路中に挿入し、カラー撮影には、前記第１の駆動手段により前記蛍光用エキサイタフィルタを光路中から退避すると共に第２の駆動手段により前記赤外光カットフィルタを光路中に挿入し、蛍光撮影には前記第１の駆動手段により前記蛍光用エキサイタフィルタを光路中に挿入すると共に第２の駆動手段により前記蛍光用バリアフィルタを光路中に挿入する制御を行うことを特徴とする。
【発明の効果】
【００３３】
本発明に係る眼底カメラによれば、照明光学系に自発蛍光用エキサイタフィルタを挿脱し、観察撮影光学系に蛍光波長と近赤外光透過の分光特性を有する自発蛍光用バリアフィルタと近赤外光カットフィルタを挿脱可能とする。これにより、カラー撮影と蛍光撮影の撮影モードに対応することができる。観察時、撮影時にフィルタ挿脱制御を行うことにより、２つの撮影モードを２個所のフィルタ切換えのみで簡便に行うことができる。また、近赤外光で観察できるので散瞳剤が不要であり、被検者の負担を軽減することができ、加齢性黄斑変性症等の疾病のスクリーニングに使用することができる。
【図面の簡単な説明】
【００３４】
【図１】実施例の眼底カメラの構成図である。
【図２】フィルタの分光特性グラフ図である。
【図３】フィルタの分光特性グラフ図である。
【図４】従来例１の眼底カメラの説明図である。
【図５】従来例２の眼底カメラの説明図である。
【図６】従来例３の眼底カメラの説明図である。
【発明を実施するための形態】
【００３５】
本発明を図１〜図３に図示の実施例に基づいて詳細に説明する。
図１は実施例における無散瞳型眼底カメラの構成図を示している。被検眼Ｅの前方には、対物レンズ３１、孔あきミラー３２、撮影絞り３３、フォーカスレンズ３４、結像レンズ３５、自発蛍光用バリアフィルタ３６、撮像手段３７が順次に配列され、観察撮影光学系が構成されている。また、自発蛍光用バリアフィルタ３６は光路中に挿脱が可能とされ第１の駆動手段３８により、近赤外光カットフィルタ３９と入れ換えるようになっている。
【００３６】
孔あきミラー３２の反射方向には、リング状の開口部を有する角膜絞り４０、リレーレンズ４１、光路長補正ガラス４２、リレーレンズ４３、ミラー４４が順次に配列されている。また、光路長補正ガラス４２は第２の駆動手段４５により自発蛍光用エキサイタフィルタ４６と入れ換え可能となっている。
【００３７】
ミラー４４の反射方向には、照明光束による被検眼Ｅの水晶体からの有害光である反射光が撮影絞り３３に入射しないように、照明光束と撮影光束を分離するためのリング状の開口部を有する水晶体絞り４７が配置されている。また、この水晶体絞り４７の後方には、被検眼Ｅの瞳位置と略共役の位置に配置されたリング状の開口部を有する瞳絞り４８、レンズ４９、可視光による閃光を照射する撮影用光源であるキセノン管５０が配列されている。更に、このキセノン管５０の後方には、拡散板５１、可視光を透過しない可視光カットフィルタ５２、観察用照明光源であるハロゲンランプ５３が配置され、ハロゲンランプ５３の後方には反射鏡５４が配置され、照明光学系が構成されている。また、被検眼Ｅの前方には、被検眼Ｅを誘導するための外部固視標５５が設けられている。
【００３８】
撮像手段３７の出力はシステム全体を制御する制御手段５６に接続されていると共に、制御手段５６に複数の撮影モードを選択するための撮影モード選択手段５７、静止画撮影をする撮影スイッチ５８の出力が接続されている。また、制御手段５６の出力は第１の駆動手段３８、第２の駆動手段４５、キセノン管５０、撮像した動画、静止画の眼底像を表示するためのモニタ５９に接続されている。
【００３９】
図２（ａ）は自発蛍光用エキサイタフィルタ４６の分光特性グラフ図を示し、この蛍光用エキサイタフィルタ４６は５８０ｎｍ近傍の蛍光用波長域の光を透過し、それ以外の波長域の光を阻止する特性とされている。
【００４０】
図２（ｂ）は自発蛍光用バリアフィルタ３６の分光特性グラフ図を示し、蛍光用バリアフィルタ３６は少なくとも６００〜７８０ｎｍの波長を透過する特性を有し、６００ｎｍよりも短い波長の透過を阻止する特性を有している。図２（ｂ）の点線は、図２（ａ）の自発蛍光用エキサイタフィルタ４６の分光特性を示し、蛍光用バリアフィルタ３６と透過帯の重なりがないことを示している。
【００４１】
図２（ｃ）は近赤外光カットフィルタ３９の分光特性グラフ図を示し、近赤外光カットフィルタ３９は４３０〜７００ｎｍの波長を透過し、７００ｎｍよりも長い近赤外光の透過を阻止する特性を有している。これは不可視光である近赤外光を透過することで、カラー撮影撮影画像を劣化させないためである。
【００４２】
図３は可視光カットフィルタ５２の分光特性グラフ図を示し、可視光カットフィルタ５２は少なくとも６８０ｎｍ以上の透過波長を含んでいる。
【００４３】
撮像手段３７は可視波長域から近赤外波長域までに感度を有し、動画、静止画出力が可能である。ただし、近赤外波長域では可視波長域と比較すると感度が低いため、被検者に負担を掛けないために、近赤外波長域で観察する際には撮影時と比較するとゲインを上げたり、解像度を低下させて画素加算等の処理を行う必要がある。
【００４４】
撮影モード選択手段５７を介してカラー撮影モードが選択され動画撮影するカラー撮影では、観察時の照明光はハロゲンランプ５３による近赤外光を用いるため、観察撮影光学系において第１の駆動手段３８を介して蛍光用バリアフィルタ３６を光路内に挿入する。更に、照明光学系においては、第２の駆動手段４５を介して光路長補正ガラス４２が光路中に挿入される。
【００４５】
検者は撮像手段３７から出力される動画像をモニタ５９により眼底Ｅｒを観察しながら、外部固視標５５を動かして被検者の視線を所望の位置に誘導すると共に、フォーカスレンズ３４を移動させてフォーカシングを行う。なお、モニタ５９に表示される眼底画像は、撮像手段３７によって受光し撮像された画像に、電子的に作成されたアパーチャマスクを付加した画像となる。
【００４６】
撮影スイッチ５８が押されると、制御手段５６は第１の駆動手段３８を介して、蛍光用バリアフィルタ３６を近赤外光カットフィルタ３９に入れ換え、照明光学系の光路長補正ガラス４２はそのままで切換えない。更に、静止画撮影においてはキセノン管５０の閃光により撮影されるため、光量が十分得られることと、撮影された眼底画像は診断に使用されるため高解像度が求められることから、制御手段５６は撮像手段３７のゲインと解像度を元に戻す。そして、キセノン管５０を発光させて眼底Ｅｒに対する静止画撮影を行い、撮影された眼底画像はモニタ５９上に表示される。
【００４７】
静止画撮影が終了すると、動画による眼底観察に戻すため、制御手段５６は第１の駆動手段３８を介して近赤外光カットフィルタ３９を蛍光用バリアフィルタ３６に切換えると共に、撮像手段３７のゲインを上げ、解像度を低下させる。
【００４８】
次に、撮影モード選択手段５７を介して、自発蛍光撮影モードを選択し、眼底Ｅｒを動画観察する蛍光撮影には、制御手段５６は撮影光学系については第１の駆動手段３８を介して蛍光用バリアフィルタ３６を光路中に挿入する。更に、制御手段５６は第２の駆動手段４５を介して、光路長補正ガラス４２を光路内に挿入すると共に、撮像手段３７のゲインを上げ、解像度を低下させる。この状態において、検者はカラー撮影での眼底観察時と同様に、アライメント、フォーカシングを行う。
【００４９】
撮影スイッチ５８が押されると、制御手段５６は第２の駆動手段４５を介して光路長補正ガラス４２を蛍光用エキサイタフィルタ４６に切換える。撮影光学系については既に蛍光用バリアフィルタ３６が光路内にあるため切換えない。更に、ゲインと解像度を元に戻す制御を行った上で、キセノン管５０を発光させ静止画撮影を行い、撮影された画像をモニタ５９上に表示する。
【００５０】
静止画撮影が終了すると、動画観察に戻すために、制御手段５６は照明光学系については第２の駆動手段４５を介して光路内にある蛍光用エキサイタフィルタ４６を光路長補正ガラス４２に入れ換える。撮影光学系については、既に蛍光用バリアフィルタ３６が光路内にあるため切換えない。更に、撮像手段３７のゲインを上げ、解像度を低下させる。
【００５１】
表１は実施例の各撮影モードに対する観察・撮影時のフィルタの光路に対する状態を示している。
【００５２】
表１
照明光学系                    撮影光学系          撮像手段
撮影モード    エキサイタ  光路長補正ガラス    バリア    近赤外光カット
カラー観察        退避          挿入            挿入        退避      動画
カラー撮影        退避          挿入            退避        挿入      静止画
ＦＡＦ観察        退避          挿入            挿入        退避      動画
自発蛍光撮影      挿入          退避            挿入        退避      静止画
【００５３】
なお実施例では、照明光学系には蛍光用エキサイタフィルタ４６と光路長補正ガラス４２を入れ換えるようにしている。しかし、光路長の違いを無視できれば光路長補正ガラス４２を省略し、蛍光用エキサイタフィルタ４６のみを第２の駆動手段４５により退避するようにしてもよい。
【符号の説明】
【００５４】
３６  自発蛍光用バリアフィルタ
３７  撮像手段
３８  第１の駆動手段
３９  近赤外光カットフィルタ
４２  光路長補正ガラス
４５  第２の駆動手段
４６  自発蛍光用エキサイタフィルタ
５０  キセノン管
５２  可視光カットフィルタ
５３  ハロゲンランプ
５６  制御手段
５７  撮影モード選択手段
５８  撮影スイッチ
５９  モニタ
【図１】
2010220670.tif 000003
【図２】
2010220670.tif 000004
【図３】
2010220670.tif 000005
【図４】
2010220670.tif 000006
【図５】
2010220670.tif 000007
【図６】
2010220670.tif 000008